(57)【特許請求の範囲】
【請求項１】
一主面に第１及び第２の電極を有し、前記第１及び第２の電極のそれぞれが一の方向の一方側端部から他方側端部に至るように配される太陽電池を複数用意する工程と、
一の前記太陽電池の、前記第１の電極の前記第１の方向における端部が配された領域以外の領域と配線材とを樹脂接着剤を用いて接着することにより前記配線材と前記一の太陽電池の前記第１の電極とを電気的に接続すると共に、他の前記太陽電池の、前記第２の電極の前記第１の方向における端部が配された領域以外の領域と前記配線材とを樹脂接着剤を用いて接着することにより前記配線材と前記他の太陽電池の前記第２の電極とを電気的に接続し、複数の前記太陽電池が電気的に接続された太陽電池ストリングを作製する太陽電池ストリング作製工程と、
前記太陽電池ストリングに異常を有する太陽電池が含まれるか否かを検査し、異常を有する太陽電池が発見された際に、前記異常を有する太陽電池と前記異常を有する太陽電池に隣接する太陽電池とに接着される配線材を切断し、前記太陽電池ストリングから前記異常を有する太陽電池を取り外す切断工程と、
前記異常を有する太陽電池に隣接していた太陽電池と、新たな太陽電池とを、新たな配線材を用いて電気的に接続する工程であって、前記異常を有する太陽電池に隣接していた太陽電池において当該太陽電池の前記配線材の切断片が接着される領域よりも前記第１の方向における当該太陽電池の端側の領域に前記新たな配線材を接着し、新たな太陽電池ストリングを作製する再接続工程と、
を備える、太陽電池モジュールの製造方法。
【請求項２】
請求項１に記載の太陽電池モジュールの製造方法であって、
前記第１の電極は、前記一の方向に沿って延びる複数の第１のフィンガー部と、前記複
数の第１のフィンガー部が電気的に接続されており、前記複数の第１のフィンガー部の第
１の方向の一方側に配される第１のバスバー部とを有し、
前記第２の電極は、前記一の方向に沿って延びる複数の第２のフィンガー部と、前記複
数の第２のフィンガー部が電気的に接続されており、前記複数の第２のフィンガー部の第
１の方向の他方側に配される第２のバスバー部とを有し、
前記太陽電池ストリング作製工程において、前記配線材を前記一の太陽電池の前記複数
の第１のフィンガー部が設けられる領域に接着すると共に、前記他の太陽電池の前記複数
の第２のフィンガー部が設けられる領域に接着し、
前記再接続工程において、前記異常を有する太陽電池に隣接していた太陽電池の前記第
１または第２のバスバー部が設けられる領域に前記新たな配線材を接着する、太陽電池モジュールの製造方法。
【請求項３】
請求項１に記載の太陽電池モジュールの製造方法であって、
前記第１の電極は、前記一の方向に沿って延びる複数の第１のフィンガー部を有し、
前記第１の電極は、前記一の方向に沿って延びる複数の第２のフィンガー部を有し、
前記太陽電池ストリング作製工程において、前記一の太陽電池の前記複数の第１のフィ
ンガー部の前記一の方向における一方側端部が配された領域以外の領域に前記配線材を接
着すると共に、前記他の太陽電池の前記複数の前記複数の第２のフィンガー部の前記第１
の方向における他方側端部が配された領域以外の領域に前記配線材を接着し、
前記再接続工程において、前記異常を有する太陽電池に隣接していた太陽電池の前記配
線材の切断片が接着される領域よりも端側の領域において、前記配線材と前記第１または
第２のフィンガー部とを電気的に接続する、太陽電池モジュールの製造方法。
【請求項４】
請求項１〜３のいずれか一項に記載の太陽電池モジュールの製造方法であって、
前記切断工程において、前記隣接する太陽電池の前記配線材と電気的に接続される電極
の前記配線材に接着されていない非接着領域が露出するように前記配線材を切断する、太陽電池モジュールの製造方法。
【請求項５】
請求項１〜４のいずれか一項に記載の太陽電池モジュールの製造方法であって、
前記新たな太陽電池ストリングを樹脂により封止する、太陽電池モジュールの製造方法。
【請求項６】
請求項５に記載の太陽電池モジュールの製造方法であって、
前記新たな太陽電池ストリングの両側に樹脂シートを配し、ラミネートすることにより
前記新たな太陽電池ストリングを封止する、太陽電池モジュールの製造方法。
【請求項７】
一主面に第１及び第２の電極を有し、前記第１及び第２の電極のそれぞれが一の方向の
一方側端部から他方側端部に至るように配される太陽電池を複数用意する工程と、
一の前記太陽電池の前記一の方向における端部以外の部分と配線材とを樹脂接着剤を用
いて接着することにより前記配線材と前記一の太陽電池の前記第１の電極とを電気的に接
続すると共に、他の前記太陽電池の前記一の方向における端部以外の部分と前記配線材と
を樹脂接着剤を用いて接着することにより前記配線材と前記他の太陽電池の前記第２の電
極とを電気的に接続し、複数の前記太陽電池が電気的に接続された太陽電池ストリングを
作製する工程と、
前記太陽電池ストリングに異常を有する太陽電池が含まれるか否かを検査し、異常を有
する太陽電池が発見された際に、前記異常を有する太陽電池と前記異常を有する太陽電池
に隣接する太陽電池とに接着される配線材を切断し、前記太陽電池ストリングから前記異
常を有する太陽電池を取り外す工程と、
前記異常を有する太陽電池に隣接していた太陽電池と、新たな太陽電池とを、新たな配
線材を用いて電気的に接続する工程であって、前記異常を有する太陽電池に隣接していた
太陽電池の前記配線材の切断片に跨がって前記新たな配線材を樹脂接着剤を用いて接着す
る再接続工程と、
を備える、太陽電池モジュールの製造方法。
【請求項８】
請求項７に記載の太陽電池モジュールの製造方法であって、
前記再接続工程において、前記新たな太陽電池の前記一の方向における端部以外の部分
と前記新たな配線材とを樹脂接着剤を用いて接着する、太陽電池モジュールの製造方法。
【請求項９】
一主面に第１及び第２の電極を有し、前記第１及び第２の電極のそれぞれが一の方向の
一方側端部から他方側端部に至るように配される太陽電池を複数用意する工程と、
一の前記太陽電池の前記一の方向における端部以外の部分と配線材とを樹脂接着剤を用
いて接着することにより前記配線材と前記一の太陽電池の前記第１の電極とを電気的に接
続すると共に、他の前記太陽電池の前記一の方向における端部以外の部分と前記配線材と
を樹脂接着剤を用いて接着することにより前記配線材と前記他の太陽電池の前記第２の電
極とを電気的に接続し、複数の前記太陽電池が電気的に接続された太陽電池ストリングを
作製する工程と、
前記太陽電池ストリングに異常を有する太陽電池が含まれるか否かを検査し、異常を有
する太陽電池が発見された際に、前記異常を有する太陽電池と前記異常を有する太陽電池
に隣接する太陽電池とに接着されている配線材を前記異常を有する太陽電池に隣接してい
た太陽電池の前記樹脂接着材から取り外し、前記太陽電池ストリングから前記異常を有す
る太陽電池を取り外す工程と、
前記異常を有する太陽電池に隣接していた太陽電池と、新たな太陽電池とを、新たな配
線材を用いて電気的に接続する工程であって、前記異常を有する太陽電池に隣接していた
太陽電池の前記樹脂接着材に跨がって前記新たな配線材を樹脂接着剤を用いて接着する再
接続工程と、
を備える、太陽電池モジュールの製造方法。
【請求項１０】
請求項９に記載の太陽電池モジュールの製造方法であって、
前記再接続工程において、前記新たな太陽電池の前記一の方向における端部以外の部分
と前記新たな配線材とを樹脂接着剤を用いて接着する、太陽電池モジュールの製造方法。
【発明の詳細な説明】
【技術分野】
【０００１】
本発明は、太陽電池モジュールの製造方法に関する。
【背景技術】
【０００２】
近年、環境負荷が小さなエネルギー源として、太陽電池モジュールに対する注目が高まってきている。太陽電池モジュールは、配線材により電気的に接続された複数の太陽電池を有する太陽電池ストリングを備える。【０００３】
太陽電池モジュールの製造に際して、太陽電池ストリングを構成する太陽電池が損傷する場合がある。例えば特許文献１には、損傷した太陽電池が生じた場合に、太陽電池ストリングから損傷した太陽電池を取り外し、新たな太陽電池に交換することにより、太陽電池ストリングに含まれる損傷していない太陽電池を利用することが記載されている。特許文献１では、太陽電池と配線材とを接着する半田を加熱して融解させることにより配線材を太陽電池から剥離する。
【先行技術文献】
【特許文献】
【０００４】
【特許文献１】特開２０１１−１３４７６５号公報
【発明の概要】
【発明が解決しようとする課題】
【０００５】
しかしながら、配線材と太陽電池とが樹脂接着剤により接着される場合は、加熱により樹脂接着剤を確実に除去することが困難である。このため、特許文献１に記載の方法は、配線材と太陽電池とが樹脂接着剤により接着される場合には適さない。【０００６】
本発明は、太陽電池モジュールの好適な製造方法を提供することを主な目的とする。
【課題を解決するための手段】
【０００７】
本発明に係る第１の太陽電池モジュールの製造方法では、一主面に第１及び第２の電極を有し、第１及び第２の電極のそれぞれが一の方向の一方側端部から他方側端部に至るように配される太陽電池を複数用意する。一の太陽電池の、第１の電極の第１の方向における端部が配された領域以外の領域と配線材とを樹脂接着剤を用いて接着することにより配線材と一の太陽電池の第１の電極とを電気的に接続すると共に、他の太陽電池の、第２の電極の第１の方向における端部が配された領域以外の領域と配線材とを樹脂接着剤を用いて接着することにより配線材と他の太陽電池の第２の電極とを電気的に接続し、複数の太陽電池が電気的に接続された太陽電池ストリングを作製する太陽電池ストリング作製工程を行う。太陽電池ストリングに異常を有する太陽電池が含まれるか否かを検査し、異常を有する太陽電池が発見された際に、異常を有する太陽電池と異常を有する太陽電池に隣接する太陽電池とに接着される配線材を切断し、太陽電池ストリングから異常を有する太陽電池を取り外す切断工程を行う。異常を有する太陽電池に隣接していた太陽電池と、新たな太陽電池とを、新たな配線材を用いて電気的に接続する工程であって、異常を有する太陽電池に隣接していた太陽電池の配線材の切断片が接着される領域よりも端側の領域に新たな配線材を接着し、新たな太陽電池ストリングを作製する再接続工程を行う。【０００８】
本発明に係る第２の太陽電池モジュールの製造方法では、一主面に第１及び第２の電極を有し、第１及び第２の電極のそれぞれが一の方向の一方側端部から他方側端部に至るように配される太陽電池を複数用意する。一の太陽電池の一の方向における端部以外の部分と配線材とを樹脂接着剤を用いて接着することにより配線材と一の太陽電池の第１の電極とを電気的に接続すると共に、他の太陽電池の一の方向における端部以外の部分と配線材とを樹脂接着剤を用いて接着することにより配線材と他の太陽電池の第２の電極とを電気的に接続し、複数の太陽電池が電気的に接続された太陽電池ストリングを作製する。太陽電池ストリングに異常を有する太陽電池が含まれるか否かを検査し、異常を有する太陽電池が発見された際に、異常を有する太陽電池と異常を有する太陽電池に隣接する太陽電池とに接着される配線材を切断し、太陽電池ストリングから異常を有する太陽電池を取り外す。異常を有する太陽電池に隣接していた太陽電池と、新たな太陽電池とを、新たな配線材を用いて電気的に接続する工程であって、異常を有する太陽電池に隣接していた太陽電池の配線材の切断片に跨がって新たな配線材を樹脂接着剤を用いて接着する再接続工程を行う。【０００９】
本発明に係る第３の太陽電池モジュールの製造方法では、一主面に第１及び第２の電極を有し、第１及び第２の電極のそれぞれが一の方向の一方側端部から他方側端部に至るように配される太陽電池を複数用意する。一の太陽電池の一の方向における端部以外の部分と配線材とを樹脂接着剤を用いて接着することにより配線材と一の太陽電池の第１の電極とを電気的に接続すると共に、他の太陽電池の一の方向における端部以外の部分と配線材とを樹脂接着剤を用いて接着することにより配線材と他の太陽電池の第２の電極とを電気的に接続し、複数の太陽電池が電気的に接続された太陽電池ストリングを作製する。太陽電池ストリングに異常を有する太陽電池が含まれるか否かを検査し、異常を有する太陽電池が発見された際に、異常を有する太陽電池と異常を有する太陽電池に隣接する太陽電池とに接着されている配線材を異常を有する太陽電池に隣接していた太陽電池の樹脂接着材から取り外し、太陽電池ストリングから異常を有する太陽電池を取り外す。異常を有する太陽電池に隣接していた太陽電池と、新たな太陽電池とを、新たな配線材を用いて電気的に接続する工程であって、異常を有する太陽電池に隣接していた太陽電池の樹脂接着材に跨がって新たな配線材を樹脂接着剤を用いて接着する再接続工程を行う。
【発明の効果】
【００１０】
本発明によれば、太陽電池モジュールの好適な製造方法を提供することができる。
【図面の簡単な説明】
【００１１】
【図１】図１は、第１の実施形態における太陽電池の略図的裏面図である。
【図２】図２は、第１の実施形態における太陽電池ストリングの略図的側面図である。
【図３】図３は、図２のＩＩＩ部分の略図的平面図である。図３においては、樹脂接着層が設けられる領域にハッチングを附しており、ハッチングが附された領域は、断面を表していない。
【図４】図４は、図３の線ＩＶ−ＩＶにおける略図的断面図である。
【図５】図５は、第１の実施形態における配線材の略図的裏面図である。
【図６】図６は、第１の実施形態における太陽電池モジュールの製造工程を説明するための略図的側面図である。
【図７】図７は、第１の実施形態における太陽電池モジュールの製造工程を説明するための略図的断面図である。
【図８】図８は、第１の実施形態に係る太陽電池モジュールの略図的断面図である。
【図９】図９は、第２の実施形態における太陽電池の略図的裏面図である。
【図１０】図１０は、第２の実施形態における太陽電池ストリングの一部分の略図的平面図である。図１０においては、樹脂接着層が設けられる領域にハッチングを附しており、ハッチングが附された領域は、断面を表していない。
【図１１】図１１は、図１０の線ＸＩ−ＸＩにおける略図的断面図である。
【図１２】図１２は、第２の実施形態における太陽電池モジュールの製造工程を説明するための略図的断面図である。
【図１３】図１３は、第３の実施形態における太陽電池モジュールの製造工程を説明するための略図的側面図である。
【図１４】図１４は、第３の実施形態における太陽電池モジュールの製造工程を説明するための略図的断面図である。
【図１５】図１５は、第３の実施形態に係る太陽電池モジュールの略図的断面図である。
【発明を実施するための形態】
【００１２】
以下、本発明を実施した好ましい形態の一例について説明する。但し、下記の実施形態は、単なる例示である。本発明は、下記の実施形態に何ら限定されない。
【００１３】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１４】
（第１の実施形態）
（太陽電池モジュール１の製造方法）
以下、図１〜図８を参照しながら、図８に示す太陽電池モジュール１の製造方法の一例について説明する。
【００１５】
（複数の太陽電池２０の用意工程）
まず、図１に示す太陽電池２０を複数用意する。本実施形態では、太陽電池２０は、裏面接合型の太陽電池である。
【００１６】
太陽電池２０は、光電変換部２３を有する。光電変換部２３は、受光した際に電子や正孔などのキャリアを生成する。光電変換部２３は、図示しない受光面と裏面２３ａとを有する。光電変換部２３は、裏面２３ａにｐ型表面とｎ型表面との両方を有する。
【００１７】
光電変換部２３は、例えば、結晶性半導体からなる基板と、基板の一主面の上に配されたｐ型半導体層及びｎ型半導体層とを備える。この場合、ｐ型表面は、ｐ型半導体層により構成される。ｎ型表面は、ｎ型半導体層により構成される。ｐ型半導体層及びｎ型半導体層のそれぞれと基板との間に、例えば数Å〜２５０Å程度の実質的に発電に寄与しない程度の厚みに実質的に真性なｉ型半導体層が設けられていてもよい。
【００１８】
また、光電変換部２３は、ｐ型ドーパント拡散領域とｎ型ドーパント拡散領域とのそれぞれが一主面に設けられた結晶性半導体からなる基板により構成されていてもよい。
【００１９】
なお、結晶性半導体からなる基板は、例えば単結晶シリコンにより構成することができる。ｐ型半導体層は、例えばｐ型アモルファスシリコンにより構成することができる。ｎ型半導体層は、例えばｎ型アモルファスシリコンにより構成することができる。ｉ型半導体層は、ｉ型アモルファスシリコンにより構成することができる。
【００２０】
光電変換部２３の裏面２３ａの上には、第１及び第２の電極２１，２２が配される。これら第１及び第２の電極２１，２２のうちの一方が、ｐ側電極を構成しており、他方がｎ側電極を構成する。ｐ側電極は、ｐ型表面に電気的に接続されており、正孔を収集する。ｎ側電極は、ｎ型表面に電気的に接続されており、電子を収集する。
【００２１】
第１及び第２の電極２１，２２のそれぞれは、ｘ方向（一の方向）の一方側端部から他方側端部に至るように配される。
【００２２】
第１及び第２の電極２１，２２のそれぞれは、くし歯状の形状を有する。具体的には、第１の電極２１は、複数の第１のフィンガー部２１ａと、第１のバスバー部２１ｂとを有する。第２の電極２２は、複数の第２のフィンガー部２２ａと、第２のバスバー部２２ｂとを有する。第１及び第２のフィンガー部２１ａ、２２ａのそれぞれは、ｘ方向に沿って延びている。複数の第１のフィンガー部２１ａと複数の第２のフィンガー部２２ａとは、ｘ方向に対して垂直なｙ方向に沿って相互に間隔をおいて交互に配される。
【００２３】
複数の第１のフィンガー部２１ａは、第１のバスバー部２１ｂに電気的に接続される。第１のバスバー部２１ｂは、複数の第１のフィンガー部２１ａのｘ方向のｘ１側に配される。第１のバスバー部２１ｂは、裏面２３ａのｘ方向のｘ１側端部に配される。第１のバスバー部２１ｂは、ｙ方向に沿って延びている。
【００２４】
複数の第２のフィンガー部２２ａは、第２のバスバー部２２ｂに電気的に接続される。第２のバスバー部２２ｂは、複数の第２のフィンガー部２２ａのｘ方向のｘ２側に配される。第２のバスバー部２２ｂは、裏面２３ａのｘ方向のｘ２側端部に配される。第２のバスバー部２２ｂは、ｙ方向に沿って延びている。
【００２５】
（太陽電池ストリング作製工程）
次に、用意した複数の太陽電池２０を電気的に接続する。具体的には、ｘ方向において隣り合う一方の太陽電池２０の第１の電極２１と、他方の太陽電池２０の第２の電極２２とを配線材３０を用いて電気的に接続することにより、配線材３０により電気的に接続された複数の太陽電池２０を有する太陽電池ストリング２５を作製する。このため、太陽電池２０と配線材３０とは、樹脂接着剤の硬化物を含む樹脂接着層４０により接着される。
【００２６】
なお、樹脂接着層４０は、樹脂接着剤の硬化物により構成されていてもよいし、樹脂接着剤の硬化物と、その硬化物中に含まれる導電材とを含んでいてもよい。その場合は、配線材３０の配線３２と第１または第２の電極２１，２２とは、直接接触することにより電気的に接続されていてもよいし、直接接触しておらず、導電材を介して電気的に接続されていてもよい。一方、樹脂接着層４０が導電材を含まない場合は、配線３２と第１または第２の電極２１，２２とは、直接接触することにより電気的に接続されることが好ましい。
【００２７】
配線材３０は、ｙ方向に沿って延びる細長形状を有する。具体的には、配線材３０は、長手方向がｙ方向を沿った矩形状である。図３〜図５に示すように、配線材３０は、絶縁性基板３１と、配線３２とを有する。絶縁性基板３１は、例えば樹脂やセラミックス等により構成することができる。絶縁性基板３１は、例えば可撓性を有する樹脂基板により構成されていてもよい。なお、本発明において、「基板」には、可撓性を有するシートやフィルムが含まれるものとする。
【００２８】
絶縁性基板３１の太陽電池２０側の表面３１ａの上には、配線３２が配される。配線３２が太陽電池２０側に配されており、絶縁性基板３１が太陽電池２０とは反対側に配される。配線３２は、導電性を有しており、ｘ方向において隣接する太陽電池２０を電気的に接続する。
【００２９】
配線３２は、配線本体３２ａと、複数の第１及び第２の線状部３２ｂ、３２ｃとを有する。配線本体３２ａは、細長形状を有する。具体的には、配線本体３２ａは、矩形状である。配線本体３２ａは、絶縁性基板３１のｘ方向における中央部を、絶縁性基板３１の延びる方向であるｙ方向に沿って、絶縁性基板３１のｙ方向の一方側端部から他方側端部にまで延びている。
【００３０】
複数の第１の線状部３２ｂのそれぞれは、配線本体３２ａからｘ方向のｘ１側に向かって延びている。複数の第１の線状部３２ｂは、ｙ方向に沿って相互に間隔をおいて配される。複数の第１の線状部３２ｂのそれぞれは、配線本体３２ａに電気的に接続される。
【００３１】
複数の第２の線状部３２ｃのそれぞれは、配線本体３２ａからｘ方向のｘ２側に向かって延びている。複数の第２の線状部３２ｃは、ｙ方向に沿って相互に間隔をおいて配される。複数の第２の線状部３２ｃのそれぞれは、配線本体３２ａに電気的に接続される。
【００３２】
太陽電池ストリング作製工程では、第１の線状部３２ｂの少なくとも一部が一の太陽電池２０の第１のフィンガー部２１ａの上に位置した状態で、一の太陽電池２０の、第１の電極２１のｘ方向のｘ２側端部（少なくとも第１のバスバー部２１ｂを含む）が配された領域以外の領域と配線材３０とを樹脂接着剤を用いて接着する。これにより、配線材３０の配線３２の第１の線状部３２ｂと一の太陽電池２０の第１のフィンガー部２１ａとを電気的に接続する。具体的には、本実施形態では、一の太陽電池２０の複数の第１のフィンガー部２１ａが設けられる領域に配線材３０を接着する。このため、第１の電極２１のうちの少なくとも第１のバスバー部２１ｂの一部分は、樹脂接着層４０から露出する。即ち、第１の電極２１のうちの少なくとも第１のバスバー部２１ｂの一部分は、樹脂接着層４０により配線材３０に接着されていない非接着領域となる。なお、非接着領域には、複数の第１のフィンガー部２１ａの一部分が含まれていてもよい。
【００３３】
また、太陽電池ストリング作製工程では、第２の線状部３２ｃの少なくとも一部が他の太陽電池２０の第２のフィンガー部２２ａの上に位置した状態で、他の太陽電池２０の、第２の電極２２のｘ方向のｘ１側端部（少なくとも第２のバスバー部２２ｂを含む）が配された領域以外の領域と配線材３０とを樹脂接着剤を用いて接着する。これにより、配線材３０の配線３２の第２の線状部３２ｃと他の太陽電池２０の第２のフィンガー部２２ａとを電気的に接続する。具体的には、本実施形態では、他の太陽電池２０の複数の第２のフィンガー部２２ａが設けられる領域に配線材３０を接着する。このため、第２の電極２２のうちの少なくとも第２のバスバー部２２ｂの一部分は、樹脂接着層４０から露出する。即ち、第２の電極２２のうちの少なくとも第２のバスバー部２２ｂの一部分は、樹脂接着層４０により配線材３０に接着されていない非接着領域となる。なお、非接着領域には、複数の第２のフィンガー部２２ａの一部分が含まれていてもよい。
【００３４】
なお、本実施形態では、第１の線状部３２ｂは、バスバー部２１ｂには直接電気的に接続されていないが、本発明においては、第１の線状部は、フィンガー部を経由せずにバスバー部に直接電気的に接続されていてもよい。本実施形態では、第２の線状部３２ｃは、バスバー部２２ｂには直接電気的に接続されていないが、本発明においては、第２の線状部は、フィンガー部を経由せずにバスバー部に直接電気的に接続されていてもよい。
【００３５】
（切断工程）
次に、太陽電池ストリング２５に異常を有する太陽電池が含まれるか否かを検査する（検査工程）。ここで、異常を有する太陽電池とは、例えば、割れたりして損傷した太陽電池、半導体接合が好適に形成されておらず、受光した際に発電しない太陽電池等である。即ち、異常を有する太陽電池には、物理的に異常を有する太陽電池と、電気的に異常を有する太陽電池とが含まれる。
【００３６】
検査方法は、特に限定されない。例えば、顯微鏡等を用いた目視検査、受光面に光を照射したときの蛍光を検出するフォトルミネッセンス（ＰＬ）法による検査、電圧を印加したときの蛍光を検出するエレクトロルミネッセンス（ＥＬ）法による検査等を行うことにより、異常を有する太陽電池の検出を行うことができる。
【００３７】
本実施形態では、太陽電池ストリング２５に含まれる複数の太陽電池２０のうち、図２に示される太陽電池２０ａのみに異常が発見された場合について説明する。
【００３８】
本実施形態では、検査工程において異常を有する太陽電池２０ａが発見されたため、太陽電池２０ａの交換を行う。検査工程において異常を有する太陽電池が発見されなかった場合は、太陽電池の交換は行われない。
【００３９】
太陽電池２０ａの交換に際しては、まず、太陽電池２０ａを太陽電池ストリング２５から取り外す。具体的には、異常を有すると認定された太陽電池２０ａと、太陽電池２０ａに隣接する太陽電池２０ｂ、２０ｃとに接着される配線材３０ａ、３０ｂを切断する（切断工程）。
【００４０】
具体的には、配線材３０ａの太陽電池２０ｂと接着される部分と太陽電池２０ａと接着される部分との間に位置し、太陽電池２０に接着されていない非接着部を、カットラインＬ１に沿って分断する。また、配線材３０ｂの太陽電池２０ｃと接着される部分と太陽電池２０ａと接着される部分との間に位置し、太陽電池２０に接着されていない非接着部を、カットラインＬ２に沿って分断する。その後、太陽電池２０ａを太陽電池ストリング２５から取り外す。
【００４１】
より具体的には、太陽電池２０ｂ、２０ｃの配線材３０ａ、３０ｂと電気的に接続される電極の配線材３０ａ、３０ｂに接着されていない非接着領域が切断された配線材３０ａ、３０ｂの切断片３０ａ１，３０ｂ１から露出するように配線材３０ａ、３０ｂを切断する。さらに具体的には、複数のフィンガー部２１ａ、２２ａのバスバー部２１ｂ、２２ｂに接続される基端部の上方において配線材３０ａ、３０ｂを切断する。このため、図６に示すように、太陽電池２０ｂ、２０ｃには、配線材３０ａ、３０ｂの切断片３０ａ１，３０ｂ１が接着された状態となる。切断片３０ａ１，３０ｂ１は、太陽電池２０ｂ、２０ｃの第１または第２のフィンガー部２１ａ、２２ａが設けられた領域に接着される。切断片３０ａ１，３０ｂ１は、第１または第２の電極２１，２２の少なくともバスバー部２１ｂ、２２ｂが設けられた領域の一部の上には配されていない。
【００４２】
（再接続工程）
次に、新たな太陽電池２０ｄを用意する。ここで、新たな太陽電池とは、検査工程において検査した太陽電池ストリングに含まれていなかった太陽電池をいい、未使用の太陽電池であってもよいし、未使用でないものの、異常を有さない太陽電池であってもよい。
【００４３】
次に、太陽電池２０ｂ、２０ｃと、新たな太陽電池２０ｄとを、新たな配線材３４ａ、３４ｂを用いて電気的に接続する。これにより、新たな太陽電池ストリング２５ａを作製する。
【００４４】
配線材３４ａ、３４ｂは、配線材３０と同様に、絶縁性基板３５と、配線３６とを有する。配線材３４ａ、３４ｂは、配線材３０と実質的に同様の構成を有していてもよいし、異なる構成を有していてもよい。
【００４５】
より具体的には、新たな太陽電池２０ｄと新たな配線材３４ａとを樹脂接着剤を用いて接着することにより、新たな太陽電池２０ｄの第２の電極２２と配線材３４ａの配線３６とを電気的に接続する。このため、配線材３４ａと太陽電池２０ｄとは、樹脂接着層４１により接着された状態となる。また、配線材３４ａを、太陽電池２０ｂの切断片３０ａ１が接着される領域よりも端側（ｘ２側）の領域に、樹脂接着剤を用いて接着する。具体的には、配線材３４ａを、太陽電池２０ｂの第１のバスバー部２１ｂが設けられる領域に、樹脂接着剤を用いて接着する。これにより、配線材３４ａの配線３６と、太陽電池２０ｂの第１のバスバー部２１ｂとを電気的に接続する。太陽電池２０ｂと配線材３４ａとは、樹脂接着層４２により接着された状態となる。以上の工程により、新たな太陽電池２０ｄと太陽電池２０ｂとを電気的に接続する。
【００４６】
同様にして、新たな太陽電池２０ｄと太陽電池２０ｃとを、新たな配線材３４ｂを用いて電気的に接続する。新たな太陽電池２０ｄの第１の電極２１と配線材３４ｂの配線３６とが電気的に接続される。また、太陽電池２０ｃの第２の電極２２の第２のバスバー部２２ｂと新たな配線材３４ｂの配線３６とが電気的に接続される。
【００４７】
以上により、新たな太陽電池２０ｄを含む新たな太陽電池ストリング２５ａを作製する。
【００４８】
なお、新たな配線材３４ａ、３４ｂに屈曲部が形成されないように再接続工程を行うことが好ましい。
【００４９】
（ラミネート工程）
次に、図８に示されるように、太陽電池ストリング２５ａを、第１及び第２の保護部材１２，１１の間において、充填材層１３を用いて封止する。具体的には、例えば、第２の保護部材１１の上に、充填材層１３の一部を構成するためのＥＶＡシートなどの樹脂シートを載置する。その樹脂シートの上に、太陽電池ストリング２５ａを載置し、その上に、充填材層１３の一部を構成するためのＥＶＡシートなどの樹脂シートを載置し、さらにその上に、第１の保護部材１２を載置する。これらを、減圧雰囲気下においてラミネートすることにより、太陽電池モジュール１を完成させることができる。
【００５０】
（太陽電池モジュール１の構成）
以上のように製造された太陽電池モジュール１は、第１及び第２の保護部材１２，１１の間において、充填材層１３中に封止された太陽電池ストリング２５ａを有する。太陽電池ストリング２５ａは、複数の太陽電池２０を有する。複数の太陽電池２０は、配線材３０，３４ａ、３４ｂにより電気的に接続される。配線材３０，３４ａ、３４ｂと太陽電池２０とは、樹脂接着剤の硬化物を含む樹脂接着層４０，４１，４２により接着される。
【００５１】
複数の太陽電池２０のうちの一部の太陽電池２０ｂ、２０ｃの上には、切断片３０ａ１，３０ｂ１が樹脂接着層４０により接着される。切断片３０ａ１，３０ｂ１は、第１及び第２のフィンガー部２１ａ、２２ａが設けられた領域の上に位置する。切断片３０ａ１，３０ｂ１は、第１及び第２のフィンガー部２１ａ、２２ａの一方に電気的に接続される。具体的には、切断片３０ａ１，３０ｂ１は、絶縁性基板３１と、第１及び第２のフィンガー部２１ａ、２２ａの一方に電気的に接続される配線３２とを有する。切断片３０ａ１，３０ｂ１は、配線材３４ａ、３４ｂと絶縁されていてもよいし、電気的に接続されていてもよい。
【００５２】
以上説明したように、本実施形態では、太陽電池２０ｂ、２０ｃの切断片３０ａ１，３０ｂ１が接着される領域よりも端側の領域に新たな配線材３４ａ、３４ｂを接着する。このため、新たな配線材３４ａ、３４ｂは、切断片３０ａ１，３０ｂ１に跨がっていない。よって、配線材３４ａ、３４ｂに屈曲部が形成されることを抑制することができる。従って、配線材３４ａ、３４ｂが破断しにくく、優れた信頼性を有する太陽電池モジュール１を製造することができる。また、配線材に屈曲部が形成された場合は、配線材の屈曲部付近に充填材が確実に充填されない場合があるが、本実施形態では配線材３４ａ、３４ｂに屈曲部が形成されにくいため、充填材層１３が確実に充填される。このため、充填材層１３中に気泡が残存しにくい。よって、優れた耐候性を有する太陽電池モジュール１を製造することができる。
【００５３】
より優れた信頼性及び耐候性を実現する観点からは、配線材３４ａ、３４ｂに屈曲部が形成されないように再接続工程を行うことが好ましい。
【００５４】
以下、本発明の好ましい実施形態の他の例について説明する。以下の説明において、上記第１の実施形態と実質的に共通の機能を有する部材を共通の符号で参照し、説明を省略する。また、第２の実施形態において、図２，図５及び図６を第１の実施形態と共通に参照する。
【００５５】
（第２の実施形態）
第１の実施形態では、第１及び第２の電極２１，２２のそれぞれがバスバー部２１ｂ、２２ｂを有する例について説明した。それに対して第２の実施形態では、図９に示すように、第１及び第２の電極２１，２２のそれぞれは、複数のフィンガー部２１ａ、２２ａにより構成されるバスバーレスの電極である。
【００５６】
第２の実施形態では、図１０及び図１１に示すように、太陽電池ストリング作製工程において、ｘ方向において隣接する２つの太陽電池２０のうちの一方の太陽電池２０の複数の第１のフィンガー部２１ａのｘ方向におけるｘ２側端部が配された領域以外の領域に配線材３０を接着する。これにより、配線材３０と、一方の太陽電池２０の複数の第１のフィンガー部２１ａとを電気的に接続する。また、ｘ方向において隣接する２つの太陽電池２０のうちの他方の太陽電池２０の複数の第２のフィンガー部２２ａのｘ方向におけるｘ１側端部が配された領域以外の領域に配線材３０を接着する。これにより、配線材３０と、他方の太陽電池２０の複数の第２のフィンガー部２２ａとを電気的に接続する。以上の工程により、複数の太陽電池２０が配線材３０により電気的に接続された太陽電池ストリング２５を作製する。
【００５７】
即ち、本実施形態では、太陽電池ストリング作製工程において、第１及び第２のフィンガー部２１ａ、２２ａのｘ方向における端部を、配線材３０に接着されていない非接着領域とする。このため、切断片３０ａ１，３０ｂ１は、太陽電池２０ｂ、２０ｃの第１及び第２のフィンガー部２１ａ、２２ａのｘ方向における端部が設けられた領域以外の領域に接着される。
【００５８】
また、本実施形態では、図１２に示すように、再接続工程において、太陽電池２０ｂ、２０ｃの切断片３０ａ１、３０ｂ１が接着される領域よりもｘ方向における端側の領域において配線材３４ａ、３４ｂと太陽電池２０ｂ、２０ｃの第１または第２のフィンガー部２１ａ、２２ａとを電気的に接続する。
【００５９】
第２の実施形態においても、第１の実施形態と同様に、配線材３４ａ、３４ｂに屈曲部が形成されることを抑制することができる。従って、配線材３４ａ、３４ｂが破断しにくく、優れた信頼性を有する太陽電池モジュール１を製造することができる。また、優れた耐候性を有する太陽電池モジュール１を製造することができる。
【００６０】
（第３の実施形態）
本実施形態においては、図１〜図５を第１の実施形態と共通に参照する。本実施形態において、第１の実施形態の図１〜図５に関する説明を援用する。
【００６１】
太陽電池ストリング作製工程では、ｘ方向において隣り合う一方の太陽電池２０のｘ方向における端部以外の部分と配線材３０とを樹脂接着剤を用いて接着すると共に、他方の太陽電池２０のｘ方向における端部以外の部分と配線材３０とを樹脂接着剤を用いて接着する。即ち、太陽電池２０の端部には配線材３０を接着しない。これにより、太陽電池２０のｘ方向における端部に、配線材３０に接着されていない領域を設ける。
【００６２】
（切断工程）
次に、太陽電池ストリング２５に異常を有する太陽電池が含まれるか否かを検査する（検査工程）。ここで、異常を有する太陽電池とは、例えば、割れたりして損傷した太陽電池、半導体接合が好適に形成されておらず、受光した際に発電しない太陽電池等である。即ち、異常を有する太陽電池には、物理的に異常を有する太陽電池と、電気的に異常を有する太陽電池とが含まれる。
【００６３】
検査方法は、特に限定されない。例えば、顯微鏡等を用いた目視検査、受光面に光を照射したときの蛍光を検出するフォトルミネッセンス（ＰＬ）法による検査、電圧を印加したときの蛍光を検出するエレクトロルミネッセンス（ＥＬ）法による検査等を行うことにより、異常を有する太陽電池の検出を行うことができる。
【００６４】
本実施形態では、太陽電池ストリング２５に含まれる複数の太陽電池２０のうち、図２に示される太陽電池２０ａのみに異常が発見された場合について説明する。
【００６５】
本実施形態では、検査工程において異常を有する太陽電池２０ａが発見されたため、太陽電池２０ａの交換を行う。検査工程において異常を有する太陽電池が発見されなかった場合は、太陽電池の交換は行われない。
【００６６】
太陽電池２０ａの交換に際しては、まず、太陽電池２０ａを太陽電池ストリング２５から取り外す。具体的には、異常を有すると認定された太陽電池２０ａと、太陽電池２０ａに隣接する太陽電池２０ｂ、２０ｃとに接着される配線材３０ａ、３０ｂを切断する。
【００６７】
具体的には、配線材３０ａの太陽電池２０ｂと接着される部分と太陽電池２０ａと接着される部分との間に位置し、太陽電池２０に接着されていない非接着部を、カットラインＬ１に沿って分断する。また、配線材３０ｂの太陽電池２０ｃと接着される部分と太陽電池２０ａと接着される部分との間に位置し、太陽電池２０に接着されていない非接着部を、カットラインＬ２に沿って分断する。その後、太陽電池２０ａを太陽電池ストリング２５から取り外す。
【００６８】
なお、カットラインＬ１，Ｌ２の位置は、配線材３０ａ、３０ｂの樹脂接着層４０により太陽電池２０に接着されていない部分であれば特に限定されない。カットラインＬ１，Ｌ２は、太陽電池２０ｂ、２０ｃの上であってもよいし、太陽電池２０ｂ、２０ｃと太陽電池２０ａとの間であってもよい。
【００６９】
（再接続工程）
次に、新たな太陽電池２０ｄを用意する。ここで、新たな太陽電池とは、検査工程において検査した太陽電池ストリングに含まれていなかった太陽電池をいい、未使用の太陽電池であってもよいし、未使用でないものの、異常を有さない太陽電池であってもよい。
【００７０】
次に、太陽電池２０ｂ、２０ｃと、新たな太陽電池２０ｄとを、新たな配線材３４ａ、３４ｂを用いて電気的に接続する。これにより、新たな太陽電池ストリング２５ａを作製する。
【００７１】
配線材３４ａ、３４ｂは、配線材３０と同様に、絶縁性基板３５と、配線３６とを有する。配線材３４ａ、３４ｂは、配線材３０と実質的に同様の構成を有していてもよいし、異なる構成を有していてもよい。
【００７２】
より具体的には、新たな太陽電池２０ｄと新たな配線材３４ａ、３４ｂとを樹脂接着剤を用いて接着することにより、新たな太陽電池２０ｄの第１または第２の電極２１，２２と配線材３４ａ、３４ｂの配線３６とを電気的に接続する。このため、配線材３４ａ、３４ｂと太陽電池２０ｄとは、樹脂接着層４１により接着された状態となる。
【００７３】
詳細には、新たな太陽電池２０ｄのｘ方向における端部以外の部分と新たな配線材３４ａ、３４ｂとを樹脂接着剤を用いて接着する。即ち、太陽電池２０ｄの端部には、配線材３４ａ、３４ｂを接着しない。これにより、太陽電池２０ｄのｘ方向における端部に、配線材３４ａ、３４ｂに接着されていない領域を設ける。詳細には、太陽電池２０ｄの第１及び第２の電極２１，２２が設けられる領域の端部には、配線材３４ａ、３４ｂを接着しない。これにより、太陽電池２０ｄの第１及び第２の電極２１，２２が設けられる領域の端部に、配線材３４ａ、３４ｂに接着されていない領域を設ける。
【００７４】
また、新たな配線材３４ａ、３４ｂを、ｘ方向において切断片３０ａ１，３０ｂ１に跨がるように配し、太陽電池２０ｂ、２０ｃの切断片３０ａ１，３０ｂ１が接着される領域よりも中央側の領域に、樹脂接着剤を用いて接着する。これにより、配線材３４ａ、３４ｂと太陽電池２０ｂ、２０ｃの第１または第２の電極２１，２２とを電気的に接続する。配線材３４ａ、３４ｂと太陽電池２０ｂ、２０ｃとは、太陽電池２０ｂ、２０ｃのｘ方向における端部が位置する領域以外の領域において、樹脂接着層４２により接着された状態となる。
【００７５】
（ラミネート工程）
次に、図１５に示されるように、太陽電池ストリング２５ａを、第１及び第２の保護部材１２，１１の間において、充填材層１３を用いて封止する。具体的には、例えば、第２の保護部材１１の上に、充填材層１３の一部を構成するためのＥＶＡシートなどの樹脂シートを載置する。その樹脂シートの上に、太陽電池ストリング２５ａを載置し、その上に、充填材層１３の一部を構成するためのＥＶＡシートなどの樹脂シートを載置し、さらにその上に、第１の保護部材１２を載置する。これらを、減圧雰囲気下においてラミネートすることにより、太陽電池モジュール１を完成させることができる。
【００７６】
（太陽電池モジュール１の構成）
以上のように製造された太陽電池モジュール１は、第１及び第２の保護部材１２，１１の間において、充填材層１３中に封止された太陽電池ストリング２５ａを有する。太陽電池ストリング２５ａは、複数の太陽電池２０を有する。複数の太陽電池２０は、配線材３０，３４ａ、３４ｂにより電気的に接続される。配線材３０，３４ａ、３４ｂと太陽電池２０とは、樹脂接着剤の硬化物を含む樹脂接着層４０，４１，４２により接着される。配線材３０，３４ａ、３４ｂのそれぞれは、太陽電池２０のｘ方向における端部には接着されていない。
【００７７】
複数の太陽電池２０のうちの一部の太陽電池２０ｂ、２０ｃの上には、配線材３０ａ、３０ｂの切断片である切断片３０ａ１，３０ｂ１が樹脂接着層４０により接着される。配線材３４ａ、３４ｂは、ｘ方向において切断片３０ａ１，３０ｂ１に跨がって配される。配線材３４ａ、３４ｂは、太陽電池２０ｂ、２０ｃと、切断片３０ａ１，３０ｂ１よりもｘ方向における中央側において、樹脂接着層４２により接着される。即ち、配線材３４ａ、３４ｂは、太陽電池２０ｂ、２０ｃのｘ方向における端部以外の部分に接着されている。
【００７８】
以上説明したように、本実施形態では、太陽電池ストリング作製工程において、ｘ方向において隣り合う一方の太陽電池２０のｘ方向におけるｘ１側の端部以外の部分と配線材３０とを樹脂接着剤を用いて接着すると共に、他方の太陽電池２０のｘ方向におけるｘ２側の端部以外の部分と配線材３０とを樹脂接着剤を用いて接着する。具体的には、太陽電池２０と配線材３０との間に樹脂接着剤を介在させた状態で太陽電池２０と配線材３０とを互いに近接する方向に加圧した状態で樹脂接着剤を加熱するなどして硬化させる。このため、太陽電池２０と配線材３０とを樹脂接着剤を用いて接着する際に、太陽電池２０の端部を加圧する必要がない。従って、太陽電池ストリング作製工程において、太陽電池２０に割れやクラック等が発生し難い。
【００７９】
また、再接続工程において、新たな配線材３４ａ、３４ｂを、太陽電池２０ｂ、２０ｃの切断片３０ａ１，３０ｂ１が接着される領域よりも中央側の領域に、樹脂接着剤を用いて接着する。具体的には、太陽電池２０ｂ、２０ｃと配線材３４ａ、３４ｂとの間に樹脂接着剤を介在させた状態で太陽電池２０ｂ、２０ｃと配線材３４ａ、３４ｂとを互いに近接する方向に加圧した状態で樹脂接着剤を加熱するなどして硬化させる。このため、太陽電池２０ｂ、２０ｃと配線材３４ａ、３４ｂとを樹脂接着剤を用いて接着する際に、太陽電池２０ｂ、２０ｃの端部を加圧する必要がない。よって、再接続工程において、太陽電池２０ｂ、２０ｃに割れやクラック等が発生し難い。
【００８０】
従って、太陽電池モジュール１を効率的に、高い良品率で製造することができる。
【００８１】
さらに本実施形態では、新たな太陽電池２０ｄのｘ方向における端部以外の部分と新たな配線材３４ａ、３４ｂとを樹脂接着剤を用いて接着する。具体的には、太陽電池２０ｄと配線材３４ａ、３４ｂとの間に樹脂接着剤を介在させた状態で太陽電池２０ｄと配線材３４ａ、３４ｂとを互いに近接する方向に加圧した状態で樹脂接着剤を加熱するなどして硬化させる。このため、太陽電池２０ｄと配線材３４ａ、３４ｂとを樹脂接着剤を用いて接着する際に、太陽電池２０ｄの端部を加圧する必要がない。従って、再接続工程において、太陽電池２０ｄに割れやクラック等が発生し難い。従って、太陽電池モジュール１をさらに効率的に、さらに高い良品率で製造することができる。
【００８２】
なお、上記実施形態では、第１及び第２の電極２１，２２のそれぞれがバスバー部２１ｂ、２２ｂを有する例について説明した。但し、本発明は、この構成に限定されない。例えば、図９に示すように、第１及び第２の電極２１，２２のそれぞれは、複数のフィンガー部２１ａ、２２ａにより構成されるバスバーレスの電極であってもよい。
【００８３】
また、上記実施形態では、異常を有する太陽電池２０ａを取り除く切断工程において、配線材３０ａの太陽電池２０に接着されていない非接着部を分断して、太陽電池２０ａを取り外す。しかし、上記のような方法に限定されず、例えば、太陽電池２０ｂに樹脂接着層４０が残るように、配線材３０ａを太陽電池２０ｂから取り除いてもよい。この場合、新たな配線材３４ａを、太陽電池２０ｂに残った樹脂接着層４０を跨ぐように、太陽電池２０ｄに樹脂接着剤を用いて接着する。すなわち、太陽電池２０ｂの残存した樹脂接着層４０よりも中央側の領域に新たな配線材３４ａを樹脂接着剤を用いて接着する。
【００８４】
本発明はここでは記載していない様々な実施形態を含む。従って、本発明の技術的範囲は上記の説明から妥当な特許請求の範囲に係る発明特定事項によってのみ定められるものである。
【符号の説明】
【００８５】
１…太陽電池モジュール
１１…第２の保護部材
１２…第１の保護部材
１３…充填材層
２０、２０ａ〜２０ｃ…太陽電池
２０ｄ…新たな太陽電池
２１…第１の電極
２１ａ…第１のフィンガー部
２１ｂ…第１のバスバー部
２２…第２の電極
２２ａ…第２のフィンガー部
２２ｂ…第２のバスバー部
２３…光電変換部
２３ａ…裏面
２５…太陽電池ストリング
２５ａ…新たな太陽電池ストリング
３０，３０ａ、３０ｂ…配線材
３０ａ１、３０ｂ１…切断片
３１…絶縁性基板
３２…配線
３２ｂ…第１の線状部
３２ｃ…第２の線状部
３４ａ、３４ｂ…新たな配線材
４０，４１，４２…樹脂接着層
【図１】
0006037176.tif 000002
【図２】
0006037176.tif 000003
【図３】
0006037176.tif 000004
【図４】
0006037176.tif 000005
【図５】
0006037176.tif 000006
【図６】
0006037176.tif 000007
【図７】
0006037176.tif 000008
【図８】
0006037176.tif 000009
【図９】
0006037176.tif 000010
【図１０】
0006037176.tif 000011
【図１１】
0006037176.tif 000012
【図１２】
0006037176.tif 000013
【図１３】
0006037176.tif 000014
【図１４】
0006037176.tif 000015
【図１５】
0006037176.tif 000016